(57)【要約】携帯用経腸栄養供給装置（２０）が、通院による経腸栄養供給を容易にし、使用中における経腸栄養供給管の損傷を防止する。この装置は、バックパック（背負い）型経腸栄養供給支持体と、マジックテープ式面部が設けられた軟質パウチ（３８）と、剛性スペーサ（６８）とを有する。パウチは、流体容器を包囲し、マジックテープシステムを用いてこれを捕捉した状態でバックパックに取り付ける。軟質側部付きパウチは、可搬式バックパックに納められている種々の流体容器の容易な取出し及び交換を可能にする。剛性スペーサは、パウチを支持し、経腸栄養供給管（３２）への連結のための隙間をもたらす。ショルダーストラップ（２６）が、この装置を被験者に対して実質的に動かないようにする。患者の移動性を許容する一方で経腸栄養供給管を隠すと共に保護する経腸栄養供給管用の伸縮隠しベルト（３０）が、設けられる。
2006515193.tif 000002
【特許請求の範囲】
【請求項１】
携帯用経腸栄養供給装置であって、
本体を有し、本体からフラップが延びており、本体は、空所を構成する内面を有し、フラップが本体の空所を密閉するよう動くことができるようになっており、
本体の空所内に収納され、少なくとも１つの区画室を備えたパウチを有し、区画室は、柔軟性があって経腸栄養供給容器を支持するよう形作られており、
パウチは、本体の内面に取り付けられる外面を更に備えている、装置。
【請求項２】
請求項１記載の装置であって、前記パウチは、前記外面に設けられた少なくとも１つのマジックテープ式パッチを有し、前記本体は、前記パウチを前記空所内に着脱自在に収納するよう前記内面に設けられた少なくとも１つの協働するマジックテープ式パッチを有する、装置。
【請求項３】
請求項１記載の装置であって、前記経腸栄養供給容器からネックが延びており、前記パウチは、前記ネックを受け入れる開口部を有する、装置。
【請求項４】
請求項１記載の装置であって、前記パウチは、前記開口部の近くで前記外面から延びる管保持ストラップを有する、装置。
【請求項５】
請求項４記載の装置であって、前記管保持ストラップは、前記管保持ストラップを管を保持するループの状態に解除自在に形作る協働するマジックテープ式パッチを有する、装置。
【請求項６】
請求項４記載の装置であって、前記管は、前記管の端部に取り付けられたフランジを含む継手への前記管保持ストラップの係合により前記ネックに取付け可能である、装置。
【請求項７】
請求項１記載の装置であって、前記パウチは、前記外面から延びるフラップを有する、装置。
【請求項８】
請求項１記載の装置であって、前記パウチは、複数の区画室を有する、装置。
【請求項９】
請求項１記載の装置であって、前記区画室は、択一的に形作られた経腸栄養供給容器を受け入れるよう形作られている、装置。
【請求項１０】
請求項１記載の装置であって、前記パウチに隣接して前記空所内に収納された剛性支持体を更に有する、装置。
【請求項１１】
請求項１０記載の装置であって、前記剛性支持体は、通路を構成する頂面を有する、装置。
【請求項１２】
請求項１記載の装置であって、前記本体は、経腸栄養供給管を収納するオリフィスを備えた外面を有する、装置。
【請求項１３】
請求項１２記載の装置であって、前記剛性支持体は、前記本体のオリフィスと実質的に整列したオリフィスを有する、装置。
【請求項１４】
請求項１０記載の装置であって、前記剛性支持体は、前記本体の前記内面に着脱自在に取付け可能である、装置。
【請求項１５】
携帯用経腸栄養供給装置であって、
本体を有し、本体からフラップが延びており、本体は、空所を構成する内面を有し、フラップが本体の空所を密閉するよう動くことができるようになっており、
本体の空所内に収納され、少なくとも１つの区画室を備えたパウチを有し、区画室は、柔軟性があって経腸栄養供給容器を支持するよう形作られており、
パウチは、本体の内面に取り付けられる外面を更に備え、
前記本体から延びるポンプ区画室を有すると共に前記本体のフラップ内に設けられていて、ポンプ区画室と本体の空所との間の連通を容易にする管路を有する、装置。
【請求項１６】
請求項１５記載の装置であって、前記パウチに隣接して前記空所内に収納された剛性支持体を更に有する、装置。
【請求項１７】
請求項１６記載の装置であって、前記剛性支持体は、前記本体の前記内面に着脱自在に取付け可能である、装置。
【請求項１８】
経腸栄養供給装置に用いられるようになったベルト装置であって、管が前記経腸栄養供給装置から延びており、前記ベルト装置は、
互いに取付け可能な第１の端部と第２の端部を備えたベルトを有し、
ベルトで支持され、第１の端部、第２の端部を有すると共に管を支持する空所を備えた第１の部材を有し、第１の部材の第１の端部は、経腸栄養供給装置に取付け可能であり、第１の部材の第２の端部は、管を収納するよう形作られており、
第１の端部、第２の端部を有すると共に第１の端部に対して移動可能に第１の端部を支持する空所を備えた第２の部材を有し、第２の部材の第１の端部は、第１の部材を収納するよう形作られ、第２の部材の第２の端部は、管を収納するよう形作られている、装置。
【請求項１９】
請求項１８記載のベルト装置であって、前記第１の部材及び前記第２の部材は、前記第１の部材及び前記第２の部材の外面に設けられたベルトループを介してベルトに取り付けられる、装置。
【請求項２０】
請求項１８記載のベルト装置であって、第１の部材及び第２の部材は、前記第１の部材及び前記第２の部材の各々に前記空所を形成するよう内側フラップ周りに折り曲げ可能な外側フラップを有する、ベルト装置。
【請求項２１】
請求項１８記載のベルト装置であって、本体には、前記管の近位端部を収納するオリフィスが設けられ、前記第１の部材は、前記本体に着脱自在に取り付けられ、前記オリフィス及び前記管を隠す隠しフラップを有する、ベルト装置。
【請求項２２】
請求項２１記載のベルト装置であって、前記隠しフラップは、前記隠しフラップに設けられたマジックテープ式ストリップと前記本体の前記オリフィスに隣接して設けられた協働するマジックテープ式ストリップによって解除自在に取り付けられる、ベルト装置。
【請求項２３】
請求項２１記載のベルト装置であって、前記第１の部材は、前記第１の部材の前記空所を形成するよう内側フラップ周りに折り曲げ可能であって内側フラップに解除自在に固定できる外側フラップを有し、前記第２の部材は、前記第２の部材の前記空所を形成するよう内側フラップ周りに折り曲げ可能であって内側フラップに解除自在に固定できる外側フラップを有し、前記第２の部材は、前記第２の部材の前記空所内での前記第１の部材の摺動により前記第１の部材に対して入れ子状に伸縮可能である、ベルト装置。
【発明の詳細な説明】
【技術分野】
【０００１】
本発明は一般に、経腸栄養供給装置（経腸栄養装置と呼ばれることもある）に関し、特に択一的に形作られた経腸栄養供給容器に用いることができる携帯用経腸栄養供給装置に関する。
【背景技術】
【０００２】
被験者の腹腔に流体を投与するために経腸栄養供給装置が用いられている。典型的には、経腸栄養供給装置は、供給容器に連結された供給管を有する。供給管により、供給容器を重力供給を容易にするよう高い場所に、例えば輸注ポール上に配置することができる。経腸栄養供給システムの中には、所定の流体圧力を管内に生じさせるよう供給容器と腹腔途の間に連結されたポンプを有するものがある。これにより、所定の流体流量の実現が容易になる。これら装置のうち多くのものは、通院用途にとって厄介であり且つ不適当である。
【０００３】
通院による経腸栄養供給を容易にするよう経腸栄養供給装置を支持する種々の公知の運搬装置及び点滴スタンドが用いられている。このような形式の運搬装置及びスタンドは、不安定である場合が多く、滑らかでない表面、例えば歩道や階段等に用いるのは適していない。
【０００４】
流体投与システムのための通院用支持装置が知られている。しかしながら、これら装置には種々の欠点がある。例えば、これら装置は、通院用運搬装置から患者の腹腔まで延びる管を有する場合があり、かかる管は、保護されておらず、キンク（もつれ）又は外部物体、例えば衣服との絡み合いを生じやすい。かかる絡み合い、キンク等の結果として、管が損傷する場合がある。さらに、管は、偶発的に患者の体又は供給容器から外れるようになる場合がある。これらの望ましくない状態は又、患者にとって危険な状態を生じさせる場合がある。例えば、管に加わる歪みにより、不快感、刺激、感染又は外傷が生じる場合がある。
【０００５】
管を患者の身体又は衣服に粘着テープを用いて固定することにより上述の欠点を解決する試みが行なわれた。しかしながら、この解決策は、テープを保守等のためにしばしば取り外さなければならないので効果が無い。これは、接着剤の品質を損ねると共に患者に対する相当大きな痛み及び刺激を生じさせる。
経腸栄養供給装置にも種々の欠点がある。例えば、これら装置のうちの幾つかは、被験者に対して動かないようにはならない。被験者に対するポンプ及び経腸栄養容器の動きにより、管に歪み又はクリンプが生じる場合があり、しかも患者に対して刺激及び（又は）外傷が生じる場合がある。経腸栄養供給装置の中には、装置の重量を快適に支持するのに不適当な取っ手を有するものがある。
【０００６】
もう１つの欠点は、供給容器の交換が困難なことである。患者は、手の器用さが制限されている場合があり、種々の締結具及び容器アタッチメントを操作するのが困難である。さらにもう１つの欠点は、見た目の問題である。多くの場合、供給容器は、管が患者にとって見苦しく又はきまり悪く感じられる場合のある丸見え状態で着用される。
したがって、患者にとって使用しやすいような人間工学的設計が施され、択一的に形作られた経腸栄養供給容器に用いることができる携帯用経腸栄養供給装置を提供することにより先行技術の欠点及び不都合を解決することが望ましい。携帯用経腸栄養供給装置が経腸栄養供給容器を支持するよう構成された着脱自在な柔軟パウチを有していれば望ましい。携帯用経腸栄養供給装置がパウチを支持するバックパック及び使用中供給管を支持する伸縮ベルト装置を有していれば非常に望ましい。かかるバックパックは、患者に快適に取付け可能に設計される。また、経腸栄養供給装置及びその構成部品が容易且つ効率的に製造され組み立てられると望ましい。
【発明の開示】
【発明が解決しようとする課題】
【０００７】
したがって、患者にとって使用しやすいように人間工学的設計が施され、択一的に形作られた経腸栄養供給容器に用いることができる携帯用経腸栄養供給装置が提供される。この携帯用経腸栄養供給装置は、択一的に形作られた経腸栄養供給容器を支持するよう構成された着脱自在な柔軟パウチを有する。最も望ましくは、この携帯用経腸栄養供給装置は、パウチを支持するバックパックを有する。かかるバックパックは、患者に快適に取付け可能に設計されている。携帯用経腸栄養供給装置は、容易且つ効率的に製造されて組み立てられる。本発明は、先行技術の関連の欠点及び不都合を解決する。
【課題を解決するための手段】
【０００８】
本発明はとりわけ、軟質パウチ、パウチフラップ及びパウチとパウチフラップの両方の一方の側部に結合されたマジックテープ（hook and loop ）式面部を含む軟質側部付き経腸栄養供給容器拘束具を提供する。パウチは、流体容器を包囲し、マジックテープシステムを用いてこの流体容器を捕捉してこれをバックパックの内部に取り付ける。拘束パウチのマジックテープ側は、バックパックの内部に設けられた対応のマジックテープ式面部に押し付けられる。マジックテープシステムにより、拘束パウチを容易にバックパック内に収納したりクリーニングのために取り出すことができる。
【０００９】
通院用途では、携帯用経腸栄養供給装置は、供給管が患者の体内に入る場所に対して高い高さ位置で経腸栄養供給流体容器を保持するバックパックを有する。それにより、バックパックの形態は、流体ポンプを必要としないで重力の助けにより流体の流れをもたらすことができる。幾つかの実施形態では、通院経腸栄養供給のための重力支援構成により、装置から流体ポンプの相当重い重量が無くなる。例示のバックパック構成は又、重量を通院患者の肩に均等に分布させる。かくして、バックパック型の形態は典型的には、患者が流体ポンプを用いるかどうかは別にして、スーツケース型の形態よりも運搬に必要な労力が非常に小さい。
【００１０】
本発明の原理に従って構成された特定の一実施形態では、携帯用経腸栄養供給装置が提供される。経腸栄養供給装置は、本体を有し、本体からフラップが延びている。本体は、空所を構成する内面を有し、フラップが本体の空所を密閉するよう動くことができるようになっている。パウチが本体の空所内に収納され、このパウチは、経腸栄養供給容器を支持するよう形作られた少なくとも１つの柔軟な区画室を備えている。柔軟な区画室は、種々の経腸栄養供給容器を受け入れることができる。パウチは、本体の内面に取り付けられる外面を更に有する。パウチは、種々の経腸栄養供給容器のネックを受け入れる開口部を有するのがよい。
パウチは、その開口部の近くで外面から延びる管拘束ストラップを有するのがよい。供給管が、開口部を貫通して延びる経腸栄養供給容器のネックに取付け可能であり、管の端部に取り付けられたフランジを含む継手への管保持ストラップの係合により保持できる。本体は、外面を有し、この外面には、経腸栄養供給管を収納するオリフィスが設けられるのがよい。経腸栄養供給管の支持手段となるベルト装置を外面に取り付けるのがよい。
【００１１】
携帯用経腸栄養供給装置は、パウチの下に位置する空所内に収納された剛性支持体を有するのがよい。剛性支持体は、経腸栄養供給管を経腸栄養供給容器に連結するための隙間空間をもたらす空所を構成するのがよい。剛性支持体は、開口部を備えた頂面を有するのがよく、この開口部は、隙間空間と連通していて、経腸栄養供給装置のネックを収納する通路を構成する。
剛性支持体は、本体に設けられていて、経腸栄養供給管を収納するオリフィスと整列可能なオリフィスを有するのがよい。携帯用経腸栄養供給装置は、本体からの延びていて、経腸栄養供給ポンプを支持するポンプ区画室を有するのがよい。管路を本体の外面に設けるのがよい。ポンプ区画室は、空所を構成する外面を有するのがよく、そのフラップがポンプ区画室のポンプ空所を密閉するよう動くことができるようになっている。管路は、ポンプ区画室と剛性支持体の隙間空間との間に開口部を提供することができる。
【００１２】
変形例として、本体は、本体の外面への取付け箇所を備えたショルダーストラップを有する。ショルダーストラップは、本体を被験者の背中にしっかりと取り付けるよう調整可能であるのがよい。
携帯用経腸栄養供給装置は有利には、安価であり且つ多種多様な供給容器を扱う上で融通性が高い。携帯用経腸栄養供給装置は、供給装置が設けられていることを隠す望ましい外観を提供する。
本発明の原理によれば、携帯用経腸栄養供給装置をこれに用いられるようになったベルト装置と共に使用でき、この経腸栄養供給装置は、オリフィス及びこれから延びる経腸栄養供給管を有する。望ましくは、ベルト装置は、供給管を隠す一方で患者に対する危険を防止する第１及び第２の伸縮部材を有する。
【００１３】
本発明は、とりわけ、患者の移動性を許容する一方で経腸栄養供給管を隠すと共に保護する経腸栄養供給管用の伸縮隠しベルトを提供する。伸縮隠しベルトは、静止ベルト部分、伸縮ベルト部分及びマジックテープ式取付け部又はアタッチメントを有している。マジックテープ式取付け部は、静止ベルト部分の一端部に設けられ、経腸栄養供給装置に取付け可能である。伸縮ベルト部分と静止ベルト部分は、ダクトを形成するよう一方が他方の内部に位置した状態で摺動自在に係合し、ダクトは経腸栄養供給管を支持してこれを隠す調整可能な長さを有している。腰ベルトが、ベルト部分のいずれか一方又は両方及び（又は）経腸栄養供給装置に係合してベルト部分を患者に対して実質的に動かないようにする。
【００１４】
ベルト部分は、ダクト形状を形成するようそれ自体の上に折り重ねられる平らなナイロンフラップで作られたものであるのがよい。ベルト部分は、ナイロンフラップに結合されたマジックテープ式ストリップによってダクトの形状に保持される。一方のダクト形状ベルト部分が他方のベルト部分の内部で摺動し、ユーザの腰に嵌まるよう調節される伸縮ダクトを形成する。静止ベルト部分は、ナイロンフラップのうち一方から延びる隠しフラップを有する。隠しフラップは、バックパック形の経腸栄養供給容器の接近ポートに取り付けられてこれを隠す。
隠しベルトは、ダクトの内部を通り、そして経腸栄養供給装置から延びる拘束ベルトループを嵌通した腰ベルトによって経腸栄養供給装置に更に取付け可能である。腰ベルトは、任意の従来型バックルによって各端部のところでそれ自体に取り付けられる。変形例として、従来型ベルト分布を従来型腰ベルトを収納する一方又は両方のベルト部分の外面に設けてもよい。
【００１５】
ベルト装置は、取付け可能な第１の端部と第２の端部を備えたベルトを有する。第１の部材が、ベルトで支持され、第１の端部及び第２の端部を有している。第１の部材は、ベルトを支持する空所を備えている。第１の部材の第１の端部は、経腸栄養供給装置に取付け可能であり、第１の部材の第２の端部は、第１の部材の空所内に支持される管を収容可能に形作られている。
第１の部材は、第１の部材の空所を形成するよう内側フラップの周りに折り曲げ可能であって内側フラップに解除自在に固定できる外側フラップを有するのがよい。内側フラップと外側フラップとの間の解除自在に固定できる取付けは、内側フラップの後縁部に沿って設けられたマジックテープ式ストリップを外側フラップの前縁部に沿って設けられた協働するマジックテープ式ストリップに解除自在に取付け可能にすることにより提供できる。第１の部材は、隠しフラップを有するのがよく、この隠しフラップは、マジックテープ式ストリップをオリフィスに隣接して携帯用経腸栄養供給装置の表面に設けられた協働するマジックテープ式ストリップに解除自在に取付け可能にすることにより携帯用経腸栄養供給装置に解除自在に取付け可能である。隠しフラップは、隠しフラップが携帯用経腸栄養供給装置に取り付けられると、オリフィス及び経腸栄養供給管の近位端部を隠すことができる。隠しフラップに設けられたマジックテープ式ストリップを外側フラップの前縁部に沿って設けられたマジックテープ式ストリップの一体延長部として形成してもよいが、このようにするかどうかは任意である。
【００１６】
第２の部材は、第１の部材をこれに対し運動可能に支持する空所を構成する第１の端部及び第２の端部を有している。第２の部材の第１の端部は、第１の部材を収納可能に形作られている。第２の部材の第２の端部は、管を収納可能に形作られている。第２の部材は、第２の部材の空所を形成するよう内側フラップの周りに折り曲げ可能であって内側フラップに解除自在に固定できる外側フラップを有するのがよい。内側フラップと外側フラップとの間の解除自在に固定できる取付けは、内側フラップの後縁部に沿って設けられたマジックテープ式ストリップを外側フラップの前縁部に沿って設けられた協働するマジックテープ式ストリップに解除自在に取付け可能にすることにより提供できる。第２の部材は、第２の部材の空所内での第１の部材の摺動により第１の部材に対して入れ子状に伸縮可能である。
【００１７】
変形実施形態では、第１の部材及び第２の部材は、第１及び（又は）第２の部材の外面に設けられたベルトループを介してベルトに取り付けられる。本発明の別の実施形態では、携帯用経腸栄養供給装置内で経腸栄養供給管を支持する方法が提供され、この方法は、第１の部材の内側フラップを供給管の近位部分上に折り重ねる段階と、第１の部材の外側フラップを第１の部材の内側フラップ上に折り重ね、外側フラップを内側フラップに解除自在に固定する段階と、第１の部材の隠しフラップ部分を携帯用経腸栄養供給装置に解除自在に固定する段階と、第２の部材の内側フラップを第１の部材及び供給管上に折り重ねる段階と、第２の部材の外側フラップを第２の部材の内側フラップ上に折り重ねる段階と、第２の部材の外側フラップを第２の部材の内側フラップに解除自在に固定する段階とを有する。
【００１８】
新規であると考えられる本発明の目的及び特徴は、特許請求の範囲に特定して記載されている。構成と作用の両方に間する本発明の内容は、別の目的及び利点と共に、後で説明する添付の図面と関連して以下の説明を読むと最もよく理解できよう。
【発明を実施するための最良の形態】
【００１９】
以下の説明は、本発明の原理に従って構成された携帯用経腸栄養供給装置の説明を含む。次に、添付の図面に示されている本発明の例示の実施形態を詳細に参照する。
以下の説明において、「近位」という用語は、経腸栄養供給装置の近くに位置する構造の部分を意味し、「遠位」という用語は、経腸栄養供給装置から遠くに位置する部分を意味している。本明細書において用いられる「被験者」という用語は、患者を指している。
次に図面を参照すると（図中、同一の部品は同一の参照符号で示されている）、開示する携帯用経腸栄養供給装置の例示の実施形態及びその使用方法は、流体を被験者の身体に経腸供給する供給装置の方面で、特に、択一的に形作られた経腸栄養供給容器に用いることができる経腸栄養供給装置の方面で説明される。経腸栄養供給管隠しベルトが、携帯用経腸栄養供給装置に用いられるようになっている。経腸栄養供給装置は、種々の形状をした経腸栄養供給容器を支持する取り外し可能なパウチと、経腸栄養供給管のキンク（もつれ）又は損傷を阻止する設計物とを有している。経腸栄養供給装置は、経腸栄養供給システムの部品を被験者に対して実質的に動かないようにし、それにより供給管に加わる歪みを除去し、被験者に対する外傷及び刺激を起こさないようになっている。本発明は、或る範囲の医療用途、例えば通院透析、流体の静脈内投与等に利用できることが想定されている。経腸栄養供給装置は流体、例えば薬剤、塩水、体液、例えば血液、尿等の投与及び（又は）除去に使用できることが想定されている。
【００２０】
先ず最初に図１を参照すると、携帯用経腸栄養供給装置２０の例示の実施形態が示されている。携帯用経腸栄養供給装置２０は、フラップ２４で密閉された本体２２を有している。携帯用経腸栄養装置２０を被験者に背負わせて支持するショルダーストラップ２６が本体２２に取り付けられている。ベルト２８が、本体２２に固定されている。ベルト２８は、被験者の腰周りに楽に装着されて被験者に対して携帯用経腸栄養供給装置２０を実質的に動かないようにするよう調節可能である。ベルト２８は又、経腸栄養供給管３２を支持すると共にこれを隠すベルト装置３０を支持している。
【００２１】
図２及び図３を参照すると、携帯用経腸栄養供給装置２０は、本体２２を有し、この本体２２からフラップ２４が延びている。本体２２は、空所３６を構成するよう内面３４を有していて、フラップ２４が本体２２の空所３６を密閉するよう動くことができるようになっている。パウチ３８が、本体２２の空所３６内に収納されており、少なくとも１つの区画室４０を備えており、これについては以下に説明する。区画室４０は、弾力性があり、流体容器、例えば経腸栄養供給容器４２を支持するよう形作られている。パウチ３８は、本体２２の内面３４に取り付けられた外面４４を更に備えている。パウチ３８は、１又は複数の区画室４０を有する場合のあることが想定されている。さらに、パウチ３８の１又は複数の区画室４０は弾力性があるのがよいことが想定されている。他の区画室は、剛性、半剛性等であってよい。経腸栄養供給容器４２は、栄養剤、薬剤、例えば被験者に投与される流体を収容するのがよいことが想定されている。
【００２２】
本体２２の内面３４は、空所３６を構成している。空所３６は、パウチ３８を支持するよう形作られている。空所３６は、流体投与用途の特定の要件に従って種々の寸法形状のものであってよい。
本体２２のフラップ２４は、開放位置（図２及び図３）から空所３６を密閉する閉鎖位置（図１）に動くことができる。フラップ２４は、本体２２の一部、例えば本体２２の底端部に永続的に取り付けられている。フラップ２４は、本体２２の空所３６を密閉するよう本体２２の外面に沿って着脱自在に取り付けられている。フラップ２４は、ジッパ等により着脱自在に取り付けられている。変形例として、フラップ２４は、スナップ、クリップ等により本体２２の外面に着脱自在に取付け可能であってよい。フラップ２４は，本体２２から完全に取り外し可能であってよいことが想定されている。
【００２３】
図４を参照すると、パウチ３８は、区画室４０を構成する外面４４及び内面を有している。パウチ３８は、区画室４０内への経腸栄養供給容器４２の収納を容易にするよう実質的に開口した頂端部４６を有している。パウチ３８の底端部４８は、経腸栄養供給容器４２の支持を容易にするよう実質的に閉鎖されている。
開口部５０が底端部４８に形成されている。開口部５０は、経腸栄養供給容器４２の一部、例えばネック５６，５６′を配置できるよう形作られており、かかるネックは、以下に説明するように経腸栄養供給管３２に連結される。開口部５０は、供給用途の特定の要件に従って種々のサイズの容器を受け入れるよう種々の寸法形状のものであってよい。
【００２４】
管拘束ストラップ５２が、開口部５０の近くで底端部４８から延びている。管拘束ストラップ５２をパウチ３８と一体に形成してもよく又は縫合、結合等により別個の部品として取り付けてもよい。マジックテープ式（hook and loop ）パッチ５４が、管保持ストラップ５２の第１の端部に取り付けられており、このマジックテープ式パッチ５４は、管保持ストラップの第２の端部に取り付けられた協働するマジックテープ式パッチ５４′に解除自在に取付け可能である。管拘束ストラップ５２の取付け可能な形態は、経腸栄養供給管３２を支持できるループを形成している。この形態は、経腸栄養供給管３２のキンクを防止すると共にこれに歪みが加わらないようにするよう開口部５０に隣接して設けられた経腸栄養供給管３２の部分を動かないようにするので有利である。
【００２５】
変形例として、協働するマジックテープ式パッチ５４′をパウチ３８の外面４４に取り付けて解除可能なループを形成してもよい。マジックテープ式パッチ５４，５４′は、例えばベルクロ（Velcro：登録商標）等の材料を含むのがよい。他の締結具、例えばスナップ、ボタン等も又使用できる。
パウチ３８の区画室４０は、種々の形態の流体容器、例えば硬質経腸栄養供給容器４２、軟質流体容器４２′等を受け入れるような寸法形状のものである。区画室４０は、１又は複数の流体容器を支持するよう形作られているのがよいことが想定される。
【００２６】
経腸栄養供給容器４２は、剛性であり、経腸栄養供給管３２に取付け可能に構成されたネック５６を有している。経腸栄養供給管３２への経腸栄養供給容器４２の取付けは、被験者への栄養剤、薬剤等の流体の流れを容易にする。経腸栄養供給管３２の一端部は、流体容器のネック５６に取付け可能なフランジ６０を備えた継手５８を有している。開口部５０は、容器４２がパウチ３８内に収納されたときネック５６を配置できるような寸法形状のものである。変形例として、軟質流体容器４２′をパウチ３８内に収納してもよい。軟質流体容器４２′は、開口部５０内に配置可能であると共に供給管３２に取付け可能に構成されたネック５６′を有している。
【００２７】
パウチ３８は、頂端部４６から延びるフラップ６２を有している。フラップ６２は、区画室４０及びこの中に支持された流体容器の密閉を容易にする。又図２及び図３を参照すると、フラップ６２は、頂端部４６から上方に延び、このフラップ６２は、マジックテープ式パッチ６４を有しており、このマックテープ式パッチ６４は、本体２２の内面に取り付けられた協働するマジックテープ式パッチに解除自在に取付け可能である。パウチ３８は、フラップ６２が開口頂端部４６上に延びて内面３４に係合するよう本体２２内に収納されている。この形態は、パウチ３８内に経腸栄養供給容器４２を収納すると共にパウチ３８を本体２２に固定するので有利である。
【００２８】
マジックテープ式パッチ６４は、例えばベルクロ（Velcro：登録商標）等の材料を含むのがよく、このマジックテープ式パッチは、一様に又は非一様に形作られたものであってよい、他の締結具、例えばスナップ又はボタン等の使用できる。１又は複数のマジックパッチテープ式をフラップ６２及び内面３４の対応の部分に取り付けるのがよい。フラップ６２は、区画室４０を密閉するようパウチ３８の他の部分に着脱自在に取付け可能であることが想定されている。内面３４へのフラップ６２の着脱自在な取付けは、不要である。
【００２９】
パウチ３８は、パウチ３８の外面４４に取り付けられたマジックテープ式パッチ６６によって本体２２に取り付けられている。マジックテープ式パッチ６６は、本体２２の内面３４に取り付けられた協働するマジックテープ式パッチ６６に着脱自在に取り付けられる。マジックテープ式パッチ６６，６６′は、本体２２へのパウチ３８の着脱自在な取付けを容易にする。マジックテープ式パッチ６６，６６′は、例えばベルクロ（Velcro：登録商標）等の材料を含むのがよく、かかるマジックテープ式パッチは、一様に又は非一様に形作られたものであってよい。他の締結具、例えばスナップ、ボタン等も又使用できる。１又は複数のマジックテープ式パッチ６６，６６′を用いることができ、これらパッチをパウチ３４の外面４４及び本体２２の内面３４の周りに様々に設けることができる。変形例として、パウチ３８を本体２２に固定的に取り付けてもよい。
【００３０】
剛性支持体６８は、空所３６の底端部に隣接して設けられている。剛性支持体６８は、隙間空間７０を構成すると共に通路７２を構成する間隙を有している。通路７２は、隙間空間７０と空所３６との間の連通を容易にする。マジックテープ式パッチ７４が、剛性支持体６８の外面に取り付けられており、このマジックテープ式パッチは、本体２２の内面３４に取り付けられた協働するマジックテープ式パッチ７４′に着脱自在に取付け可能である。パッチ７４、７４′による着脱自在な取付けは、本体２２内からの剛性支持体６８の取出し及び本体２２内への収納を容易にする。マジックテープ式パッチ７４，７４′は、例えばベルクロ（Velcro：登録商標）等の材料を含むのがよく、かかるマジックテープ式パッチは、一様に又は非一様に形作られたものであってよい。他の締結具、例えばスナップ、ボタン等も又使用できる。１又は複数のマジックテープ式パッチ７４，７４′を用いることができ、これらパッチを剛性支持体の表面及び本体２２の内面３４周りに様々に設けることができる。
【００３１】
本体２２に形成されたオリフィス７６が、経腸栄養供給管３２を収納できる剛性支持体６８の開口部７８と整列している。マジックテープ式パッチ８０が、オリフィス７６の周りで本体２２の外面に取り付けられている。マジックテープ式パッチ８０は、ベルト装置３０（図５〜図１０）に取り付けられた協働するマジックテープ式パッチに着脱自在に取付け可能にオリフィス７６と整列するのがよい。
【００３２】
一実施形態では、携帯用経腸栄養供給装置２０は、経腸栄養供給容器４２から経腸栄養供給管３２を通って被験者に至る流体の流れを容易にする流体ポンプを必要としないで、重力の助けによる流体の流れを可能にする。通院用途では、携帯用経腸栄養供給装置２０は、本体２２内に維持されたパウチ３８を有し、このパウチ３８は、経腸栄養供給管３２が被験者の体内に入る場所に対して高い高さ位置で経腸栄養供給容器４２を支持する。かくして、被験者への栄養剤、薬剤等の投与を容易にするために重力が有利に用いられる。
変形例として、ポンプ区画室フラップ８２が、ポンプ区画室８４を密閉するようフラップ２４に沿って着脱自在に取り付けられている。ポンプ区画室８４は、被験者への栄養剤、薬剤等の投与を容易にするよう経腸栄養供給容器４２及び経腸栄養供給管３２と共に動作できるポンプを支持するよう構成されている。当業者であれば、流体投与用途に適したポンプ及び関連部品を本発明の携帯用経腸栄養供給装置に使用できることは理解されよう。ポンプ区画室８４は、本体フラップ２４の下端部内に設けられている。ポンプ区画室フラップ８２は、ジッパ等により着脱自在に取付け可能である。変形例として、フラップ８２をスナップ、クリップ等により本体２２の外面に着脱自在に取り付けてもよい。ポンプ区画室フラップ８２は、ポンプ区画室８４の開放位置と閉鎖位置との間で動くことができる。携帯用経腸栄養供給装置２０は、ポンプ又は関連部品の使用を必要としないことが想定されている。
【００３３】
ポンプ区画室８４と剛性支持体６８の隙間空間７０との間の連通を可能にする管路又はダクト路８６が、本体２２のフラップ２４に設けられている。オリフィス７６を貫通して設けられた供給管３２は、管類等を介し、管路８６を通ってポンプ（図示せず）と連通するようになっている。管路８６は、ポンプ区画室８４と連通し、管類等を差し向け、この中の供給管３２と連通する。例えば、追加の管部分が、ポンプから管路８６を通って隙間空間７０まで延びている。ポンプから延びる管類は、供給管３２を通る流体の流れを容易にするよう経腸栄養供給容器４２のネック５６に取付け可能である。ポンプ及び関連部品は、重力流体供給の代替手段として又は重力流体供給に加えて流体の流れを容易にすることが想定されている。
【００３４】
携帯用経腸栄養供給装置２０を被験者に着脱自在に固定し、装置２０を被験者に対し実質的に動かないようにするために調節可能なショルダーストラップ２６及びショルダーストラップバックル２７が、本体２２に取り付けられている。
携帯用経腸栄養供給装置２０の部品を医療用途に適した材料、例えばナイロン、耐久性のある合成繊維材料等で作ることができる。パウチ３８は、種々の形状の経腸栄養供給容器を受け入れるよう柔軟であり、かかるパウチを適当な材料、例えば柔軟な合成繊維材料、弾性体等で作るのがよい。剛性支持体６８を、適当な材料、例えばステンレス鋼、熱可塑性材料等で作るのがよい。本体２２を柔軟性のある材料で作るのがよいが、半剛性材料及び硬質補剛材をこれに混ぜ込んでもよい。しかしながら、当業者であれば、本発明の携帯用経腸栄養供給装置２０の組立て及び製造に適した他の材料及び制作方法も又適していることは理解されよう。
【００３５】
使用に当たり、経腸栄養供給容器４２をパウチ３８内に入れて容器４２のネック５６が開口部５０を介して接近可能であるようにする。剛性支持体６８を上述したように本体２２の底端部に隣接して着脱自在に取り付ける。剛性支持体６８の開口部７８を本体２２のオリフィス７６に整列させる。剛性支持体６８の通路７２は、ネック５６と隙間空間７０との間を連通させる。パウチ３８を上述したように本体２２の内面３４に着脱自在に取り付けて剛性支持体６８で支持する。
供給管３２をオリフィス７６に通して隙間空間７０内へ位置決めする。供給管３２の一端を供給容器４２のネック５６に連結する。継手５８をパウチ３８から延びる管保持ストラップ５２に係合させることにより供給管３２をネック５６に固定する。フラップ２４を閉鎖位置に配置する。携帯用経腸栄養供給装置２０を本体２２から延びる調節可能なショルダーストラップ２６により被験者にしっかりと取り付ける。
【００３６】
経腸栄養供給管３２は、栄養剤、薬剤等を有利には携帯用経腸栄養供給装置２０により容易にされた状態で経腸栄養供給容器４２から被験者に投与する。携帯用経腸栄養供給装置２０は、上述したように重力の助けによる流体の流れ、ポンプの助けによる流体の流れ又はこれらの組み合わせを採用するのがよい。また、携帯用経腸栄養供給装置２０の他の投薬用途、例えば流体収集が想定されている。
【００３７】
図５〜図１０を参照して、経腸栄養供給管３２を支持すると共にこれを隠すために携帯用経腸栄養供給装置２０の本体２２に取付け可能なベルト装置３０について説明する。ベルト装置３０は、経腸栄養供給管３２のキンク又は損傷を阻止し、被験者に対する外傷及び刺激を防止する伸長可能なダクト９２を有している。ベルト装置３０は、様々な形状の経腸栄養供給装置に取付け可能に設計されたものであるのがよいことが想定される。
ベルト装置３０は、携帯用経腸栄養供給装置２０に用いられるようになっており、この携帯用経腸栄養供給装置２０から経腸栄養供給管３２が延びている。ベルト装置３０は、第１の端部及びバックル８８に取付け可能な第２の端部を備えたベルト２０を有している。他の締結具を使用できることが想定されている。第１の部材、例えば静止ベルト部分９０が、ベルト２８で支持されている。
【００３８】
図６及び図７に示すように、静止ベルト部分９０の第１の端部９４が、本体２２に取付け可能であり、第２の端部９６が、空所９８内に支持された経腸栄養供給管３２を収納可能に構成されている。空所９８は、様々なサイズの経腸栄養供給管及び（又は）他の供給装置を支持するよう様々に構成されたものであってよいことが想定される。静止ベルト部分９０は、供給用途の特定の要件に従って可変長さにわたって伸長できることが更に想定されている。
図８に示すように、第２の部材、例えば伸縮ベルト部分１００が、第１の端部１０２及び第２の端部１０４を有している。伸縮ベルト部分１００は、伸縮ベルト部分１００が静止ベルト部分９０に対して運動できるよう静止ベルト部分９０を支持した空所１０６を備えている。伸縮ベルト部分１００の第１の端部１０２は、静止ベルト部分９０を収納可能に形作られている。伸縮ベルト部分１００の第２の端部１０４は、経腸栄養管３２を収納可能に形作られている。
【００３９】
空所１０６は、様々なサイズの静止ベルト部分９０及び（又は）他の供給装置を支持するよう様々に構成されたものであってよいことが想定される。伸縮ベルト部分１００は、流体投与用途の特定の要件に従って可変長さにわたって伸長できることが更に想定されている。第１の部材は伸縮ベルト部分を有してもよく、第２の部材は静止ベルト部分を有してもよいことが想定されている。さらに、第１の部材及び（又は）第２の部材は１又は複数のベルト部分を有しても良いことが更に想定されている。
【００４０】
図６及び図７に部分組立て状態で示された静止ベルト部分９０は、外側フラップ１０８及び内側フラップ１１０を有している。図７に示す方向において矢印１１２で示す組立て段階では、フラップ１１０を経腸栄養供給管３２の周りに折り曲げて空所９８を形成し、この中に経腸栄養供給管３２がルーズに収納される。変形例として、経腸栄養供給管３２を静止ベルト部分９０と密に嵌合させてもよい。
静止ベルト部分９０は、特定の経腸栄養供給用途及び（又は）術者の好みに応じて、医療用途に適した材料、例えばナイロン、多層材料、例えば二層ナイロン等から作られている。また、相対運動を容易にするよう類似のナイロン成分に対する摩擦係数の低い他の適当な材料を使用できる。しかしながら、当業者には理解されるように、本発明の組立て及び製造に適した他の材料及び製作法も適している。
【００４１】
折り曲げ線１１４，１１４′が想像線で示されている。例えば図９に示すように矩形断面のダクトを容易に形成するために折り曲げ線のところにステッチを設けることにより折り目線のところに永続的な折り目を維持することができる。変形実施形態では、永続的な折り目又は折り目ステッチを必要としないで丸形断面のダクトが提供される。
隠しフラップ１１６が、静止ベルト部分９０の外側フラップ１０８から延びている。隠しフラップ１１６は、内側フラップ１１０の近位端部のところに横方向切れ目を入れることにより形成される。隠しフラップ１１６は、締結具を本体２２に設けられたつがい関係をなす締結具に連結可能に支持する。締結具及びこれとつがい関係にある締結具は、本体２２への隠しフラップ１１６の解除自在な取付けを容易にする協働するマジックテープ式ストリップ８０，８０′（図６〜図８参照）を含む。静止ベルト部分９０を本体２２に連結するためにマジックテープ式ストリップ、例えばベルクロ（Velcro：登録商標）等又は他の締結具、例えばスナップ、ボタン等を使用できる。
【００４２】
マジックテープ式ストリップ１１８が、内側フラップ１１０の後縁部に沿って設けられている。これと協働するマジックテープ式ストリップ１１８′が、外側フラップ１０８の前縁部に沿って設けられている。図７に示す方向において矢印１１２で示す組立て段階では、静止ベルト部分９０の外側フラップ１０８を内側フラップ１１０及び経腸栄養供給管３２上に折り重ねて経腸栄養供給管３２を収納包囲する静止ダクト部分１２０を形成する。マジックテープ式ストリップ１１８，１１８′を互いに締結して外側フラップ１０８を内側フラップ１１０に取り付け、それにより静止ダクト部分１２０の形状を維持する。外側フラップ１０８を内側フラップ１１０に取り付けるのに他の多くの形式の締結具、例えばボタン、スナップ等を使用できることが想定されている。
【００４３】
代表的には、マジックテープ式ストリップ１１８，１１８′を縫合により内側フラップ１１０の後縁部及び外側フラップ１０８の前縁部に沿って取り付ける。変形例として、接着剤を用いてマジックテープ式ストリップを適当な材料に取り付けてもよい。図示の実施形態では、外側フラップ１０８に取り付けられたマジックテープ式ストリップ１１８′は、隠しフラップ１１６に取り付けられたマジックテープ式パッチ８０′と一体である。この形態は有利には製造を単純化する。マジックテープ式ストリップ１１８′又はその部分部分とマジックテープ式パッチ８０′又はその部分部分とは別々であってよく、これらを一体に連結してもよいことが想定されている。
静止ダクト部分１２０は、隠しフラップ１１６に設けられた締結具、例えばマジックテープ式パッチ８０′と本体２２に設けられた締結具、例えばマジックテープ式パッチを係合させることにより本体２２に取り付けられる。経腸栄養供給管３２のたるみは、静止ベルト部分９０の近位端部９０を近位端部を本体２２に近づけているときに静止ダクト部分１２０を通って経腸栄養供給管３２を遠位側に摺動させることにより取られる。
【００４４】
伸縮ベルト部分１００は、図８及び図１０に示すように外側フラップ１２２及び内側フラップ１２４を有している。伸縮ベルト部分１００は、静止ダクト部分１２０の外部の周りにルーズに設けられた伸縮ダクト部分１２６を形成する。変形例として、伸縮ベルト部分１００を静止ベルト部分９０と密に嵌合させてもよい。
伸縮ベルト部分１００は、特定の経腸栄養供給用途及び（又は）術者の好みに応じて、医療用途に適した材料、例えばナイロン、多層材料、例えば二層ナイロン等から作られている。また、相対運動を容易にするよう類似のナイロン成分に対する摩擦係数の低い他の適当な材料を使用できる。しかしながら、当業者には理解されるように、本発明の組立て及び製造に適した他の材料及び製作法も適している。
【００４５】
折り曲げ線１２８，１２８′が想像線で示されている。例えば矩形断面のダクトを容易に形成するために折り曲げ線のところにステッチを設けることにより折り目線のところに永続的な折り目を維持することができる。変形実施形態では、永続的な折り目又は折り目ステッチを必要としないで丸形断面のダクトが提供される。
マジックテープ式ストリップ１３０が、内側フラップ１２４の後縁部に沿って設けられ、これとつがい関係をなすマジックテープ式ストリップ１３０′が、外側フラップ１２２の前前部に沿って設けられている。図８に示す方向において矢印１３２で示す組立て段階では、伸縮ベルト部分１００は、先ず最初に内側フラップ１２４を静止ダクト部分１２０周りに折り曲げることにより形成される。外側フラップ１２２を静止ダクト部分１２０及び内側フラップ１２４周りに折り曲げる。マジックテープ式ストリップ１３０，１３０′を互いに締結して伸縮ダクト部分の形態を維持することにより外側フラップ１２２を内側フラップ１２４に固定する。マジックテープ式ストリップ１３０，１３０′に代えて他形式の締結具、例えばボタン、スナップ等を使用できることが想定されている。
【００４６】
ベルト２８の一端部（図５参照）を伸縮ベルト部分１００と静止ベルト部分９０との間で引くと、この一端部は、静止ベルト部分９０及び伸縮ベルト部分１００のそれぞれの隣接した端部から出る。それにより、ベルト２８は、伸縮ベルト部分１００と静止ベルト部分９０との間で空所１０６内に収納される。ベルト２８の第１の端部と第２の端部をバックル８８で取り付けることによりベルト２８を被験者（図示せず）の周りに位置決めして被験者に固定する。
被験者は、通院用、携帯用等の用途のためにベルト装置３０によって提供された経腸栄養供給管３２の支持体付き携帯用経腸栄養供給装置２０を用いることができる。変形実施形態では、静止ベルト部分９０及び伸縮ベルト部分１００は、腰ベルトを納める外部ベルトループ（図示せず）を有する。さらに別の実施形態では、本体２２から延びるループ（図示せず）がベルト部分９０，１００及び（又は）ベルト２８を支持するために設けられる。
【００４７】
本明細書において開示した実施形態の種々の改造例を想到できることは理解されよう。したがって、上記説明は、種々の実施形態の例示としてのみ解されるべきであって、本発明を限定するものと解釈されてはならない。当業者であれば、特許請求の範囲に記載された本発明の範囲及び精神に属する他の改造例を想到できよう。
【図面の簡単な説明】
【００４８】
【図１】本発明の原理に従って構成した携帯用経腸栄養供給装置及びベルト装置の斜視図である。
【図２】図１に示す携帯用経腸栄養供給装置の斜視図であり、部品を分離して示す図である。
【図３】図１に示す携帯用経腸栄養供給装置の別の斜視図であり、部品を分離して示す図である。
【図４】図１に示す携帯用経腸栄養供給装置のパウチの斜視図であり、択一的に用いられる経腸栄養供給容器をパウチから取し出して示す図である。
【図５】５ａ、５ｂ、５ｃは、本発明の原理に従って構成されたベルト装置の正投影図である。
【図６】図５に示すベルト装置の一部の斜視図であり、組立て段階を示す図である。
【図７】図５に示すベルト装置の一部の斜視図であり、別の組立て段階を示す図である。
【図８】図５に示すベルト装置の一部斜視図であり、別の組立て段階を示す図である。
【図９】分解した第１のベルト部分の正面正投影図である。
【図１０】分解状態の第２のベルト部分の正面正投影図である。
【図１】
2006515193.tif 000003
【図２】
2006515193.tif 000004
【図３】
2006515193.tif 000005
【図４】
2006515193.tif 000006
2006515193.tif 000007
【図６】
2006515193.tif 000008
【図７】
2006515193.tif 000009
【図８】
2006515193.tif 000010
【図９】
2006515193.tif 000011
【図１０】
2006515193.tif 000012
【国際調査報告】
2006515193.tif 000013
2006515193.tif 000014
2006515193.tif 000015
2006515193.tif 000016
2006515193.tif 000017